(57)【要約】      （修正有）【課題】複数の部品に分解することが可能で、簡便に包装、運搬、収納、組立を行うことができ、脚が傾かずに安全性を高めることができる椅子脚部の支持構造を提供する。【解決手段】椅子脚部の支持構造は、組立ヘッド３０、複数本の脚４０及び底盤５０を備える。組立ヘッド３０は、複数の組立溝３２が等間隔で周縁に周設され、支持棒６０を挿設して位置決めする位置決め孔３１が中央部に形成される。脚４０は、内端部に設けられた係合片４１を有し、係合片が組立ヘッドの組立溝内に嵌入される。底盤５０は、脚の内端底部に取り付けられるとともに、中心孔５１と、周縁に形成された複数のホール５２とを有し、ホールに複数本のリードスクリューを挿設して組立ヘッドの底部に位置決めする。組立ヘッドの組立溝３２内へ脚の係合片４１を嵌入した後、底盤を位置決めするので、脚の内端を堅固に固定できる。【選択図】図４
0003188630.tif 000002
【実用新案登録請求の範囲】
【請求項１】
組立ヘッド、複数本の脚及び底盤を備えた椅子脚部の支持構造であって、
前記組立ヘッドは、複数の組立溝が等間隔で周縁に周設され、支持棒を挿設して位置決めする位置決め孔が中央部に形成され、
前記脚は、内端部に設けられた係合片を有し、前記係合片が前記組立ヘッドの前記組立溝内に嵌入され、
前記底盤は、前記脚の内端底部に取り付けられるとともに、中心孔と、周縁に形成された複数のホールと、を有し、前記ホールに複数本のリードスクリューを挿設して前記組立ヘッドの底部に位置決めし、
前記組立ヘッドの前記組立溝内へ前記脚の前記係合片を嵌入した後、前記組立ヘッドの底部へ前記底盤を位置決めするとともに、前記脚の内端を堅固に位置決めすることを特徴とする椅子脚部の支持構造。
【請求項２】
前記組立ヘッドの底部には、複数のネジ孔が形成され、
前記ネジ孔は、前記組立溝と位置がずれて、中実厚層の材料部分に位置合わせされ、
前記組立溝は、略Ｔ字状溝である上、開口部及び弧状溝を有し、前記開口部の両側には壁面が形成され、前記脚の前記係合片は、略Ｔ字状片である上、収束首部及び両側の延伸部を有して前記組立溝に嵌入され、前記底盤には、複数のバンプが設けられ、前記バンプは、前記ホールと位置がずれていることを特徴とする請求項１に記載の椅子脚部の支持構造。
【請求項３】
前記組立ヘッド上には、トップカバーが着脱自在に取り付けられ、
前記トップカバーは、中心部に形成された貫通孔と、下部に周設された複数の弧状切欠き及び凸部と、を有し、
前記組立ヘッドの底部には、複数のネジ孔が形成され、
前記ネジ孔は、前記組立溝と位置がずれ、
前記組立溝は、開口部及び弧状溝を有し、
前記開口部の両側には壁面が形成され、
前記組立ヘッドの内壁には、凹入部及び凸状リングが周設され、
前記弧状切欠きには、前記凸状リングが嵌入され、
前記凸部は、前記凹入部に嵌入され、
前記脚の前記係合片前には、収束首部及び外端面が形成され、
前記外端面は、前記係合片より略大きく、前記組立溝の前記弧状溝に嵌入されることを特徴とする請求項１に記載の椅子脚部の支持構造。
【請求項４】
前記トップカバーの下部には、下環状凸部が下向きに形成され、
前記底盤には、上環状凸部が上向きに形成され、
前記下環状凸部は、前記脚の前記係合片の前記収束首部の頂面に嵌入され、
前記上環状凸部は、前記脚の前記係合片の前記収束首部の底面に嵌入されることを特徴とする請求項３に記載の椅子脚部の支持構造。
【考案の詳細な説明】
【技術分野】
【０００１】
本考案は、椅子脚部の支持構造に関し、特に、２ピース式又は３ピース式の組立式脚部であり、脚部を一体成形する必要がない上、複数の部品へ分解し、小型で搬送、収納又は包装における占有空間を大幅に小さくすることができる上、組立ヘッド内の中実厚層に、５本の脚の大きな作用力に耐えられるネジ孔が形成され、脚が傾くことを防いだり、開口部の両側に形成した壁面により、脚の横方向からの力に耐え、簡便に組立てたり分解したりすることができる椅子脚部の支持構造に関する。
【背景技術】
【０００２】
オートメーション機器は、手作業による労働を代替し、コンピュータを組み合わせることにより自動化操作をより正確に行うことができる。そのため、現場作業員、肉体労働者などのブルーカラー労働者が次第に減り、相対的にサービス業、事務員などのホワイトカラー労働者が次第に増えている。しかし、事務所内などで長時間座って労働する者は腰痛になり易かったり、血液の循環が悪くなったりして身体に悪影響を与えることがあった。この問題に鑑み、オフィスワーカーなどが快適に使用できて風合いも良いオフィスチェアの開発及び改良が積極的に行われている。しかし、最も基本的な椅子は脚部により支持された構造を有する。オフィスチェアの脚部には、バランスが取り易くて倒れにくい上、延伸点を伸ばして快適かつ安定的に使用することができるように、５本脚タイプが用いられることが一般的である。
【０００３】
図１に示すように、従来技術のオフィスチェアの脚部１０は、５本の脚１１を有する。５本の脚１１間は間を空けて均等に配列されている。脚１１の末端部には、キャスタが取り付けられる。脚部１０の中央部には、椅子の支持棒を支持して位置決めする位置決め孔１２が形成されている。脚部１０は、ユーザの体重を支えて堅固な構造にするために組立式のものは稀であり、一体成形されているものが一般的であった。そのため、占有体積が大きくなりすぎ、搬送したり収納したり包装したりするためには、大きな空間が必要となり、非常に不便であった。
【０００４】
その後、一部のメーカにより組立式オフィスチェアの脚部２０が開発されているが、これは固定部材２１、第１の支持杆２２及び第２の支持杆２３から構成されている（図２及び図３参照）。固定部材２１は扁平状を呈し、固定部材２１の一面には、支持棒２５を結合するために接続部２１１が中央部に突設されている。固定部材２１には、複数の接触部２１２が周設されている。第１の支持杆２２は、固定部材２１の接触部２１２と着脱自在に結合されている。第１の支持杆２２は、両端が地面と接触され、中間部に第１の係合部２２１が設けられている。第２の支持杆２３は、固定部材２１の接触部２１２と着脱自在に結合されている。第２の支持杆２３は、両端が地面に接触され、中間部に第２の係合部２３１が設けられている。第２の係合部２３１は、第１の支持杆２２の第１の係合部２２１と係合されるため、脚部２０の固定部材２１は、ユーザの重量を脚部２０の固定部材２１で均等に分散させることができる。しかし、第２の支持杆２３の第２の係合部２３１と第１の支持杆２２の第１の係合部２２１とが係合される箇所には凹溝が形成されているが、その支持構造は強度が低すぎるため、第２の係合部２３１及び第１の係合部２２１が変形したり損壊したりすることがある上、固定部材２１の周囲の接触部２１２が板面式でネジ２４と結合されていたため、接触部２１２が力を受けて変形してネジ２４が外れる虞があった。そのため、従来の組立式オフィスチェアの脚部構造は理想的ではなかった。
【考案の概要】
【考案が解決しようとする課題】
【０００５】
従来のオフィスチェアの脚部は、一体成形されて堅固で耐久性を有していたが、占有体積が大きくて、搬送、収納又は包装における占有空間が大きすぎて不便であった。その後、改良された組立式のオフィスチェア脚部が開発されたが、支持構造の強度が低すぎるため、力を受けて損壊したり変形したりし、ネジが外れることもあり安全性に問題があった。
【０００６】
本考案の第１の目的は、一体成形されたものと異なり、２ピース式又は３ピース式の組立式脚部を有するため、複数の部品に分解することが可能であり、小型で、かつ、搬送、収納又は包装における占有空間を大幅に減らし、簡便に包装、搬送、収納を行うことができる椅子脚部の支持構造を提供することにある。
本考案の第２の目的は、組立ヘッド内の中実厚層に形成されたネジ孔により、５本脚の大きな作用力を受けるため、脚が傾かずに安全性を高めることができる椅子脚部の支持構造を提供することにある。
本考案の第３の目的は、開口の両側に形成された中実壁面により脚の横方向からの力に耐えることができる上、簡便に組立てたり分解したりすることができる椅子脚部の支持構造を提供することにある。
【課題を解決するための手段】
【０００７】
上記課題を解決するために、本考案の第１の形態によれば、組立ヘッド、複数本の脚及び底盤を備えた椅子脚部の支持構造であって、前記組立ヘッドは、複数の組立溝が等間隔で周縁に周設され、支持棒を挿設して位置決めする位置決め孔が中央部に形成され、前記脚は、内端部に設けられた係合片を有し、前記係合片が前記組立ヘッドの前記組立溝内に嵌入され、前記底盤は、前記脚の内端底部に取り付けられるとともに、中心孔と、周縁に形成された複数のホールと、を有し、前記ホールに複数本のリードスクリューを挿設して前記組立ヘッドの底部に位置決めし、前記組立ヘッドの前記組立溝内へ前記脚の前記係合片を嵌入した後、前記組立ヘッドの底部へ前記底盤を位置決めするとともに、前記脚の内端を堅固に位置決めすることを特徴とする椅子脚部の支持構造が提供される。
【０００８】
前記組立ヘッドの底部には、複数のネジ孔が形成され、前記ネジ孔は、前記組立溝と位置がずれて、中実厚層の材料部分に位置合わせされ、前記組立溝は、略Ｔ字状溝である上、開口部及び弧状溝を有し、前記開口部の両側には壁面が形成され、前記脚の前記係合片は、略Ｔ字状片である上、収束首部及び両側の延伸部を有して前記組立溝に嵌入され、前記底盤には、複数のバンプが設けられ、前記バンプは、前記ホールと位置がずれていることが好ましい。
【０００９】
前記組立ヘッド上には、トップカバーが着脱自在に取り付けられ、前記トップカバーは、中心部に形成された貫通孔と、下部に周設された複数の弧状切欠き及び凸部と、を有し、前記組立ヘッドの底部には、複数のネジ孔が形成され、前記ネジ孔は、前記組立溝と位置がずれ、前記組立溝は、開口部及び弧状溝を有し、前記開口部の両側には壁面が形成され、前記組立ヘッドの内壁には、凹入部及び凸状リングが周設され、前記弧状切欠きには、前記凸状リングが嵌入され、前記凸部は、前記凹入部に嵌入され、前記脚の前記係合片前には、収束首部及び外端面が形成され、前記外端面は、前記係合片より略大きく、前記組立溝の前記弧状溝に嵌入されることが好ましい。
【００１０】
前記トップカバーの下部には、下環状凸部が下向きに形成され、前記底盤には、上環状凸部が上向きに形成され、前記下環状凸部は、前記脚の前記係合片の前記収束首部の頂面に嵌入され、前記上環状凸部は、前記脚の前記係合片の前記収束首部の底面に嵌入されることが好ましい。
【図面の簡単な説明】
【００１１】
【図１】図１は、従来の一体成形タイプのオフィスチェアの脚部を示す斜視図である。
【図２】図２は、従来の組立タイプのオフィスチェアを示す分解斜視図である。
【図３】図３は、従来の組立タイプのオフィスチェアを示す分解斜視図である。
【図４】図４は、本考案の第１実施形態に係る椅子脚部の支持構造を示す分解斜視図である。
【図５】図５は、本考案の第１実施形態に係る椅子脚部の支持構造を示す斜視図である。
【図６】図６は、本考案の第１実施形態に係る椅子脚部の支持構造を示す断面図である。
【図７】図７は、本考案の第１実施形態に係る椅子脚部の支持構造の組立ヘッドを示す断面図である。
【図８】図８は、本考案の第１実施形態に係る椅子脚部の支持構造を組立てた状態を示す平面図である。
【図９】図９は、本考案の第２実施形態に係る椅子脚部の支持構造を示す分解斜視図である。
【図１０】図１０は、本考案の第２実施形態に係る椅子脚部の支持構造を示す斜視図である。
【図１１】図１１は、本考案の第２実施形態に係る椅子脚部の支持構造を示す断面図である。
【図１２】図１２は、本考案の第２実施形態に係る椅子脚部の支持構造を示す平面図である。
【考案を実施するための形態】
【００１２】
以下、本考案の実施形態について図に基づいて説明する。なお、これによって本考案が限定されるものではない。
【００１３】
（第１実施形態）
図４〜図６を参照する。図４〜図６に示すように、本考案の一実施形態に係る椅子脚部の支持構造は、少なくとも組立ヘッド３０、複数本の脚４０及び底盤５０から構成される。組立ヘッド３０は、環状ブロックである。組立ヘッド３０の中央部には、支持棒６０（気圧棒）を挿設して位置決めする位置決め孔３１が形成される。支持棒６０は、多種類のタイプの椅子に応用することができる従来技術の支持シートである。組立ヘッド３０の周縁には、５つの組立溝３２が形成されている。５つの組立溝３２は、組立ヘッド３０の周縁に間隔をあけて等間隔で形成されている。組立溝３２は、略Ｔ字状溝であり（図７及び図８参照）、開口部３２１及び弧状溝３２２を有する。開口部３２１の両側には、壁面３２３が形成され、組立ヘッド３０の底部には、（金属螺管を埋入することができる）複数のネジ孔３２４が形成されている。ネジ孔３２４は、組立溝３２と位置がずれて、中実厚層に位置する。
【００１４】
脚４０は、５本有する。脚４０の内端部には、係合片４１が設けられている。脚４０の係合片４１は、略Ｔ字状片である。係合片４１は、収束首部４１１と、両側に設けられた延伸部４１２とを有する。収束首部４１１は、組立溝３２の開口部３２１に対応し、両側の延伸部４１２は、組立溝３２の弧状溝３２２に対応し、係合片４１を組立溝３２に嵌入することができ、脚４０の外端にはキャスターが取り付けられ、５本の脚４０は、それぞれ異なる色を有する。
【００１５】
底盤５０は、脚４０の内端底部に取り付けられている。底盤５０は、環状盤であり、中心孔５１と、周縁に形成された複数のホール５２と、を有する。底盤５０には、複数のバンプ５３が周設される。バンプ５３間は間隔をあけて形成され、バンプ５３は、ホール５２と位置がずれ、複数本のリードスクリュー５４がホール５２及び組立ヘッド３０の底部のネジ孔３２４に挿設され、５本の脚４０及び底盤５０を組立ヘッド３０の底部へ位置決めさせる（図６参照）。
【００１６】
上述の構造により、本考案の第１実施形態に係る椅子脚部の支持構造は、実際に組み立てる際、まず、脚４０の係合片４１を組立ヘッド３０の組立溝３２内へ嵌入し、係合片４１の収束首部４１１を組立溝３２の開口部３２１へ嵌入し、係合片４１の両側に設けられた延伸部４１２を組立溝３２の弧状溝３２２へ嵌入して組立溝３２へ係合片４１を嵌入し、その後、脚４０の係合片４１底面へ底盤５０を貼着し、底盤５０のバンプ５３を組立溝３２の開口部３２１底部へ挿入してからリードスクリュー５４を底盤５０のホール５２と、組立ヘッド３０底部のネジ孔３２４とへ挿設し、底盤５０を組立ヘッド３０底部へ位置決めさせて脚４０の内端を位置決めする。
【００１７】
本考案の第１実施形態に係る椅子脚部の支持構造は、組立式であるが、組立ヘッド３０内のネジ孔３２４が中実厚層の材料位置に位置し、開口部３２１の両側に壁面３２３が形成され、脚４０の係合片４１が組立ヘッド３０の組立溝３２に嵌入されると、組立ヘッド３０が係合片４１の上向きの作用力に耐えることができる上、開口部３２１の両側に形成された壁面３２３が脚４０の横向きの力にも耐え、５本の脚４０が上下、前後、左右で位置決めされて傾くことを防ぐことができる上、リードスクリュー５４が組立ヘッド３０内の中実厚層に形成されたネジ孔３２４に位置決めされているため、より大きな作用力に耐えて脚４０が傾くことを防ぐことができる上、リードスクリュー５４が緩んでネジ孔３２４から外れずに堅固に位置決めすることができる。
【００１８】
本考案の第１実施形態に係る椅子脚部の支持構造は、以下（１）〜（５）の長所を有する。
（１）脚部は一体成形する必要がない上、複数の部品へ分解することができ、小型で搬送、収納又は包装において、占有空間を小さくすることができる上、包装体積を減らし、簡便に搬送・収納を行うことができる。
（２）組立式オフィスチェアの脚部に変更されても、支持構造が変化していないため、断裂したり力を受けて変形したりすることを防ぐ。
（３）組立ヘッド３０内の中実厚層にネジ孔３２４が形成されているため、５本の脚４０の大きな作用力を受けることができる上、脚４０が傾くことを防いでリードスクリュー５４が緩んでネジ孔３２４から外れることを防ぐ。
（４）開口部３２１の両側に形成した壁面により、脚４０の横方向からの力に耐えることができる。
（５）簡便に組立てたり分解したりすることができる上、構造が安全である。
【００１９】
（第２実施形態）
図９〜図１２を参照する。図９〜図１２に示すように、本考案の一実施形態に係る椅子脚部の支持構造は、少なくとも組立ヘッド７０、複数本の脚８０、底盤９０及びトップカバー１００から構成される。組立ヘッド７０は、環状ブロックであり、支持棒６０（気圧棒）を挿設して固定する位置決め孔７１が中央部に設けられ、５つの組立溝７２が周縁に形成される。組立溝７２は、略Ｕ字状溝（図１２参照）であり、外側に開口部７２１及び弧状溝７２２が形成されている。開口部７２１の両側には、壁面７２３が形成されている。組立ヘッド７０の内壁には、凹入部７２４及び凸状リング７２５が周設されている。組立ヘッド７０の底部には、複数のネジ孔７２６（金属螺管が埋入可能）が形成されている。ネジ孔７２６は、組立溝７２の位置とずれて５本の脚８０を有する。脚８０は、内端部に係合片８１が設けられ、外端部にキャスターが取り付けられている。５本の脚８０は、それぞれ異なる色を有する。
【００２０】
組立ヘッド７０上には、トップカバー１００が着脱自在に取り付けられている。トップカバー１００下には、複数の弧状切欠き１０１及び凸部１０２が周設されている。弧状切欠き１０１は、組立ヘッド７０の内壁に形成された凸状リング７２５を嵌入するのに用い、凸部１０２は、組立ヘッド７０の内壁に形成された凹入部７２４に嵌入される。脚８０の係合片８１前には、収束首部８１１及び外端面８１２が設けられる。外端面８１２は、係合片８１の内端より略大きく、組立溝７２の弧状溝７２２内に嵌入させることができる。
【００２１】
トップカバー１００は、中心部に形成された貫通孔１０４と、下部に下向きに形成された下環状凸部１０３と、を有する。底盤９０には、上向きの上環状凸部９３が形成されている。下環状凸部１０３は、脚８０の係合片８１の収束首部８１１頂面に嵌入される。上環状凸部９３は、脚８０の係合片８１の収束首部８１１底面に嵌入される。
【００２２】
底盤９０は、脚８０の内端底部に取り付けられる。底盤９０は、環状盤であり、中心孔９１と、周縁に形成された複数のホール９２と、を有し、複数のリードスクリュー８４がホール９２と、組立ヘッド７０の底部に形成されたネジ孔７２６とに挿設され、５本の脚８０及び底盤９０が組立ヘッド７０の底部に位置決めされる。
【００２３】
本考案の第２実施形態に係る椅子脚部の支持構造は、実際に組み立てる際、まず、脚８０の係合片８１を組立ヘッド７０の組立溝７２へ嵌入し、係合片８１の外端面８１２を組立溝７２の弧状溝７２２へ嵌入してから、トップカバー１００の弧状切欠き１０１に、組立ヘッド７０内壁の凸状リング７２５を嵌入し、凸部１０２を組立ヘッド７０内壁の凹入部７２４へ嵌入させる。トップカバー１００の下環状凸部１０３を脚８０の係合片８１の収束首部８１１頂面へ嵌入し、トップカバー１００を組立ヘッド７０の上面へ位置決めしてから底盤９０を脚８０の係合片８１底面へ貼着し、上環状凸部９３を脚８０の係合片８１の収束首部８１１底面へ嵌入してから、リードスクリュー８４を底盤９０のホール９２と、組立ヘッド７０底部のネジ孔７２６とに挿設し、底盤９０を組立ヘッド７０底部へ位置決めさせるとともに、脚８０の内端を位置決めする。
【００２４】
本考案の第２実施形態は、３つの部品から構成された脚８０であり、第１実施形態と同様に５本の脚８０の上下、前後、左右それぞれを位置決めし、傾くことを防ぐとともに、組立ヘッド７０内の中実厚層にネジ孔７２６を位置決めすることにより、大きな作用力を受けても脚８０が傾いたり、リードスクリュー８４が緩んでネジ孔７２６から外れたりすることを防ぎ、トップカバー１００を増設して脚８０の位置決め構造をより堅固なものにする。
【００２５】
本考案の第２実施形態に係る椅子脚部の支持構造は、以下（１）〜（６）の長所を有する。
（１）脚部は一体成形する必要がない上、複数の部品へ分解することができ、小型で搬送、収納又は包装における占有空間を小さくすることができる上、包装体積を減らし、簡便に搬送・収納を行うことができる。
（２）組立式オフィスチェアの脚部に変更されても、支持構造が変化していないため、断裂したり力を受けて変形したりすることを防ぐ。
（３）組立ヘッド７０内の中実厚層にネジ孔７２６が形成されているため、５本の脚８０の大きな作用力を受けることができるよう上、脚８０が傾くことを防いでリードスクリュー８４が緩んでネジ孔７２６から外れることを防ぐ。
（４）開口部７２１の両側に形成した壁面により、脚８０の横方向からの力に耐えることができる。
（５）トップカバー１００を増設して脚８０を位置決めする構造強度をさらに高めることができる。
（６）簡単に組立てたり分解したりすることができる上、構造が安全である。
【００２６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２７】
１０  脚部  
１１  脚  
１２  位置決め孔  
２０  脚部  
２１  固定部材  
２２  第１の支持杆
２３  第２の支持杆
２４  ネジ
２５  支持棒
３０  組立ヘッド
３１  位置決め孔
３２  組立溝
４０  脚
４１  係合片
５０  底盤
５１  中心孔
５２  ホール
５３  バンプ
５４  リードスクリュー
６０  支持棒
７０  組立ヘッド
７１  位置決め孔
７２  組立溝
８０  脚
８１  係合片
８４  リードスクリュー
９０  底盤
９１  中心孔
９２  ホール
９３  上環状凸部
１００  トップカバー
１０１  弧状切欠き
１０２  凸部
１０３  下環状凸部
１０４  貫通孔
２１１  接続部
２１２  接触部
２２１  第１の係合部
２３１  第２の係合部
３２１  開口部
３２２  弧状溝
３２３  壁面
３２４  ネジ孔
４１１  収束首部
４１２  延伸部
７２１  開口部
７２２  弧状溝
７２３  壁面
７２４  凹入部
７２５  凸状リング
７２６  ネジ孔
８１１  収束首部
８１２  外端面
【図１】
0003188630.tif 000003
【図２】
0003188630.tif 000004
【図３】
0003188630.tif 000005
【図４】
0003188630.tif 000006
【図５】
0003188630.tif 000007
【図６】
0003188630.tif 000008
【図７】
0003188630.tif 000009
【図８】
0003188630.tif 000010
【図９】
0003188630.tif 000011
【図１０】
0003188630.tif 000012
【図１１】
0003188630.tif 000013
【図１２】
0003188630.tif 000014